(57)【要約】【課題】包装箱に内容物を容易にセットでき、組み立て作業性が向上し、正確な位置で折り曲げ可能な中仕切を提供する。【解決手段】包装箱Ｐに用いられる段ボールで形成された中仕切１であって、底板２の両側に仕切板３を備え、底板２及び仕切板３は、段目方向Ｆに並んで配置され、仕切板３は、仕切板３を立ち上げる立ち上げ罫線４を介して底板２に連続して形成された第１の仕切板３ａと、第１の仕切板３ａと仕切り罫線５を介して連続して形成され、仕切り罫線５で折り返されて、第１の仕切板３ａと重なりあって貼り合された第２の仕切板３ｂと、第２の仕切板３ｂの底板２側の側部３１から、立ち上げ罫線４に沿った折り曲げ罫線６を介して、第２の仕切板３ｂに連続して形成された支え板７と、を備え、立ち上げ罫線４、仕切り罫線５及び折り曲げ罫線６が、段目方向Ｆに対して直交して形成されている。【選択図】図１
0003207657.tif 000002
【実用新案登録請求の範囲】
【請求項１】
包装箱に用いられる段ボールで形成された中仕切であって、
底板の両側に仕切板を備え、
前記底板及び前記仕切板は、段目方向に並んで配置され、
前記仕切板は、該仕切板を立ち上げる立ち上げ罫線を介して前記底板に連続して形成された第１の仕切板と、
前記第１の仕切板と仕切り罫線を介して連続して形成され、前記仕切り罫線で折り返されて、前記第１の仕切板と重なりあって貼り合された第２の仕切板と、
前記第２の仕切板の前記底板側の側部から、前記立ち上げ罫線に沿った折り曲げ罫線を介して、前記第２の仕切板に連続して形成された支え板と、を備え、
前記立ち上げ罫線、前記仕切り罫線及び前記折り曲げ罫線が、前記段目方向に対して直交して形成されている
ことを特徴とする中仕切。
【請求項２】
前記底板に、孔が形成されている
ことを特徴とする請求項１に記載の中仕切。
【考案の詳細な説明】
【技術分野】
【０００１】
本考案は、缶などの商品を入れる包装箱の中仕切に関する。
【背景技術】
【０００２】
左右に隣り合う第１片と第２片とを有し、第１片と第２片との境界に縦中仕切を備え、一枚の台紙を山折り、谷折りに折り曲げて縦中仕切を形成すると、第１片から延設部が境界を越えて第２片の横中仕切を起立させる包装箱の中敷きが知られている。（例えば、特許文献１参照）。特許文献１では、仕切り材は台紙であったが、台紙では缶などの重量物を仕切るには厚みが不十分であった。そこで、仕切り材を段ボールにし、立ち上げ罫線と仕切り罫線と折り曲げ罫線が正確な位置で曲がるよう、段目方向に対して直交となるようにする必要があった。それぞれの罫線が段目方向と平行だと正確な位置で折り曲げることが困難だった。
【先行技術文献】
【特許文献】
【０００３】
【特許文献１】特許第３８０３３０３号公報
【考案の概要】
【考案が解決しようとする課題】
【０００４】
本考案は、包装箱に内容物を容易にセットでき、組み立て作業性が向上し、正確な位置で折り曲げ可能な中仕切を提供する。
【課題を解決するための手段】
【０００５】
（１）本考案に係る態様は、包装箱に用いられる段ボールで形成された中仕切であって、底板の両側に仕切板を備え、底板及び仕切板は、段目方向に並んで配置され、仕切板は、仕切板を立ち上げる立ち上げ罫線を介して底板に連続して形成された第１の仕切板と、第１の仕切板と仕切り罫線を介して連続して形成され、仕切り罫線で折り返されて、第１の仕切板と重なりあって貼り合された第２の仕切板と、第２の仕切板の底板側の側部から、立ち上げ罫線に沿った折り曲げ罫線を介して、第２の仕切板に連続して形成された支え板と、を備え、立ち上げ罫線、仕切り罫線及び折り曲げ罫線が、段目方向に対して直交して形成されている中仕切を提供する。
（２）上記（１）に記載の中仕切において、底板に孔が形成されてもよい。
【考案の効果】
【０００６】
本考案によれば、包装箱に内容物を容易にセットでき、組み立て作業性が向上し、正確な位置で折り曲げ可能な中仕切を提供できる。
【図面の簡単な説明】
【０００７】
【図１】（ａ）は本考案の実施形態に係る中仕切の組み立て後の斜視図、（ｂ）は包装箱に中仕切をずらしてセットした状態を示す斜視図である。
【図２】包装箱に内容物をセットした状態を示す平面図である。
【図３】組み立て前の中仕切の表面図である。
【図４】組み立て前の中仕切の裏面図である。
【図５】（ａ）〜（ｂ）は、中仕切の組み立て方法を示す説明斜視図である。
【図６】本考案の実施形態に係る中仕切の台紙の平面図である。
【考案を実施するための形態】
【０００８】
実施形態に係る中仕切１は、包装箱Ｐに用いられる段ボールで形成された中仕切１であって、底板２の両側に仕切板３を備え、底板２及び仕切板３は、段目方向Ｆに並んで配置され、仕切板３は、仕切板３を立ち上げる立ち上げ罫線４を介して底板２に連続して形成された第１の仕切板３ａと、第１の仕切板３ａと仕切り罫線５を介して連続して形成され、仕切り罫線５で折り返されて、第１の仕切板３ａと重なりあって貼り合された第２の仕切板３ｂと、第２の仕切板３ｂの底板２側の側部３１から、立ち上げ罫線４に沿った折り曲げ罫線６を介して、第２の仕切板３ｂに連続して形成された支え板７と、を備え、立ち上げ罫線４、仕切り罫線５及び折り曲げ罫線６が、段目方向Ｆに対して直交して形成されている。
【０００９】
以下、中仕切１の使用状態について説明する。図１（ａ）及び（ｂ）において、中仕切１は、組み立て後の状態を示している。中仕切１は、段ボールで形成され、包装箱Ｐの中に、底板２を下にして包装箱Ｐの底に敷かれて用いられる。図１（ｂ）では、中仕切１をずらして示している。
【００１０】
底板２は両側に仕切板３を備えている。仕切板３は、底板２に対して略９０°の角度で立ち上がった状態で用いられ、支え板７は、底板２と略同一面に位置し、包装箱Ｐの底に接触している。また、図１（ｂ）において、包装箱Ｐには、中仕切１の位置を決め、取り付けるためのスリットＳが形成されている。実際には、中仕切１の一部である挿入部８が、包装箱ＰのスリットＳに挿入されて位置決めされ、取り付けられる。
【００１１】
図２において、包装箱Ｐの内容物として、例えば、異なる４種類の缶体Ａ、Ｂ、Ｃ、Ｄをそれぞれ縦に３本セットした状態を示した。仕切板３は、縦方向を仕切る縦仕切りである。ギフト用の包装箱Ｐの場合、缶体Ａ、Ｂ、Ｃ、Ｄの側面が見えるようにセットし、缶体のＡ、Ｂ、Ｃ、Ｄの内容が分かりやすくすることで、店頭でのディスプレイにも用いやすい。缶体Ａ、Ｂ、Ｃ、Ｄとしては、種々のアルコール飲料、ソフトドリンク、缶詰等が挙げられる。缶体の種類は４種類に限らない。また、内容物は、瓶や、紙パック、青果等、缶体に限らない。
【００１２】
図３及び図４において、中仕切１は、組み立て前の状態を示している。中仕切１は、包装箱Ｐに敷かれる前は畳まれており、この状態で出荷、納品される。底板２は、平面視において長方形の矩形状を有している。底板２の長辺側の両側には、仕切板３を立ち上げる立ち上げ罫線４を介して第１の仕切板３ａが形成されている。
【００１３】
また、図１、図２、図３及び図４において、底板２には、立ち上げ罫線４間に渡って、４種類の缶体Ａ、Ｂ、Ｃ、Ｄの収納位置にあわせて、平面視で矩形状の一方の長辺側に長辺を底辺にした二等辺三角形を加えた５角形状の孔２１が４か所形成されている。孔２１の数は、内容物の数に合わせて形成することができる。また、孔２１の形状は、図示した形状に限らず、包装箱Ｐに内容物を収納した際に、内容物が包装箱Ｐの底部に接触できるような形状であり、内容物の形状に合わせて形状を決めることができる。
【００１４】
必要に応じて、図中には、実線矢印で段ボールの段目方向Ｆを示している。底板２及び仕切板３は、段目方向Ｆに並んで配置され、立ち上げ罫線４、仕切り罫線５及び折り曲げ罫線６が、段目方向Ｆに対して直交して形成されている。また、装飾のために、包装箱Ｐの色との組み合わせで見栄えのするカラーライナを有する段ボールを用いるとよい。段目方向Ｆとは、紙巾方向、幅方向ともいい、段目方向Ｆに直交方向とは、流れ方向、奥行き方向ともいう。
【００１５】
立ち上げ罫線４、仕切り罫線５及び折り曲げ罫線６は、切罫、押罫、ミシン罫、リード罫等を用いることができる。押罫には、帯鉄によって折れスジを形成して得られ、帯鉄の先端の形状によってＲ罫、角罫、面取り罫がある。実施形態では、例えば、立ち上げ罫線４及び折り曲げ罫線６には、リード罫を用い、仕切り罫線５には角罫を用いている。
【００１６】
第１の仕切板３ａと第２の仕切板３ｂとは、仕切り罫線５で１８０°折り返すと、すべてが重なり合う同形状を有している。ここで、第１の仕切板３ａと第２の仕切板３ｂとは、すべてが重なり合う形状でなく、折り返した際に、支え板７が、底板２と重なれば、異なる形状であってもよい。第１の仕切板３ａと第２の仕切板３ｂとの貼り合せは、糊付けで行う。例えば、でん粉としてのコーンスターチを主成分とし、苛性ソーダ、ホウ砂、ホウ酸を混ぜたものを用いることができる。
【００１７】
支え板７は矩形状で、第２の仕切板３ｂの底板２側の側部３１から折り曲げ罫線６を介して連続して形成されている。ここで、図４において、支え板７は、孔２１が形成されていない底板２の段目方向Ｆに形成されている。支え板７は、底板２側の第２の仕切板３ｂの側部３１の中央部に一つだけ形成されるが、複数形成してもよく、いずれも底板２と重なるように形成されている。
【００１８】
中仕切１は、包装箱Ｐに形成されたスリットＳに挿入される挿入部８を備えている。図１（ｂ）において、包装箱Ｐに形成されたスリットＳは、包装箱Ｐの底との境界付近の両側板の中央部に底板２の幅ほど形成され、スリットＳの両端が側板の上方向に直角に伸びている。挿入部８は、底板２の短辺側とそれに連なる仕切板３の下部に設けられている。
【００１９】
以下、中仕切１の組み立て方法について述べる。図５は中仕切１を裏から見た図である。図５では、片側の仕切板３の組み立て方法を示したが、実際は、両側の仕切板３を同時に組み立てるのがよい。図５（ａ）において、組み立て前の中仕切１の仕切板３を持って、底板２と仕切板３の間の立ち上げ罫線４で折り曲げる。すると、裏面に隠れていた支え板７が立ち上がる。
【００２０】
その後、図５（ｂ）において、中仕切１の裏面を図示しない台に向けて、支え板７を台に押し付けると支え板７と仕切板３との角度が略９０°で折れ曲がる。ここで、支え板７と底板２の折り曲げの反動力で仕切板３が自立する。したがって、組み立て時に底板２と支え板７が仕切板３に対して略９０°折れ曲がる。底板２の両側の仕切板３は、２つの支え板７を同時に台に押し付けると、一度に立ち上げ、自立させることができる。
【００２１】
以下、中仕切１の台紙１００について述べる。中仕切１は、台紙１００を折り曲げ、貼り合せることで得られる。図６において、台紙１００は、包装箱Ｐに用いられる中仕切１の台紙１００であって、底部２０と、底部２０の両側に立ち上げ罫線４を介して連続して形成された第１の仕切部３０ａと、第１の仕切部３０ａと仕切り罫線５を介して連続して形成され、仕切り罫線５で１８０°折り返すと、第１の仕切部３０ａと重なり合う第２の仕切部３０ｂと、第２の仕切部３０ｂの底部２０とは反対側の側部３１０ｂから、折り曲げ罫線６を介して、第２の仕切部３０ｂに連続して形成された支え部７０とを備えている。
【００２２】
中仕切１の台紙１００は段ボールで形成され、底部２０、第１の仕切部３０ａ、第２の仕切部３０ｂ及び支え部７０とは段目方向Ｆに沿って配置され、立ち上げ罫線４、仕切り罫線５及び折り曲げ罫線６が段目方向Ｆに対して直交して形成されている。図６中、段目方向Ｆを実線で示した。
【００２３】
底部２０に、立ち上げ罫線４間に渡って孔２１０が形成されている。また、支え部７０が、孔２１０が形成されていない底部２０の段目方向Ｆに形成されている。さらに、図１（ｂ）に示した包装箱Ｐに形成されたスリットＳに挿入される挿入部８０が形成されている。
【００２４】
台紙１００は段ボールの打ち抜きで形成でき、立ち上げ罫線４、仕切り罫線５及び折り曲げ罫線６も機械を用いて形成できる。その後、仕切り罫線５に沿って、第２の仕切部３０ｂを底部２０の同じ面に向かって１８０°折り曲げて、第２の仕切部３０ｂを第１の仕切部３０ａに重ねあわせて、貼り付ける簡単な工程で、組み立て前の中仕切１が得られる。したがって、サックマシンを用いて台紙１００から組み立て前の中仕切１が容易に得られる。
【００２５】
本考案に係る実施形態の中仕切１によれば、２つの立ち上げ罫線４及び折り曲げ罫線６を折り曲げるだけの容易な方法によって組み立てられるので、包装箱Ｐに内容物を容易にセットでき、組み立て作業性が向上した簡易的な中仕切１が得られる。また、立ち上げ罫線４、仕切り罫線５及び折り曲げ罫線６が段目方向Ｆに対して直交して形成されているので、正確な位置で折り曲げ可能な中仕切を提供できる。
【００２６】
また、型で抜いただけのシートと比較して、組み立ての作業性が向上した。納品は、組み立て前の中仕切１の状態で納品する。組み立て前の中仕切１は、略平らな形状であるので積み重ねてコンパクトに包装でき、輸送が行い易い。
【００２７】
また、立ち上げ罫線４、仕切り罫線５及び折り曲げ罫線６が段目方向Ｆに対して直交して形成されているので、段目方向Ｆに平行に形成されている場合と比較してコシがあり、組み立て時に罫線を折り曲げるより先に底板２の中央などが折れ曲がることを低減できる。
【００２８】
また、底板２に孔２１が形成されているので、例えば、缶の側面が孔２１に入って包装箱Ｐの底に接触し、包装箱Ｐの中の缶すべてが同一高さになり、見栄えが良い。ここで、孔２１が存在しないと、底板２に載る缶の高さが、底板２の厚み分だけ増してしまう。また、支え板７が、孔２１が形成されていない底板２の段目方向Ｆに形成されているので、例えば、缶を並べて収納した場合でも、缶が支え板７に載ることがなく、包装箱Ｐの中の缶すべてが略同一高さになる。
【００２９】
孔２１を矩形状で形成した場合、中仕切１をサックマシンで製造すると、機械のコンベアベルトなどが孔２１に引っかかる可能性があるが、孔２１が５角形状に形成されているので、コンベアベルトなどが孔２１に入り込みにくくなる。
【００３０】
さらに、中仕切１が、包装箱Ｐに形成されたスリットＳに挿入される挿入部８を備えているので、スリットＳに挿入部８を挿入することによって、中仕切１を包装箱Ｐに取り付けでき、容易に内容物を包装箱Ｐにセットできる。
【００３１】
実施形態において、支え板７は、１つに限らず複数であってもよい。また、支え板７が、孔２１が形成されている底板２の段目方向Ｆに形成され、孔２１と重なる位置でもよい。
【００３２】
実施形態に係る中仕切１は、包装箱以外にも適用できる。例えば、トレイの中仕切にも適用できる。
【符号の説明】
【００３３】
１…中仕切
２…底板
３…仕切板
３ａ…第１の仕切板
３ｂ…第２の仕切板
４…立ち上げ罫線
５…仕切り罫線
６…折り曲げ罫線
７…支え板
８…挿入部
Ｓ…スリット
２１…孔
３１…側部
Ｆ…段目方向
Ｐ…包装箱
【図１】
0003207657.tif 000003
【図２】
0003207657.tif 000004
【図３】
0003207657.tif 000005
【図４】
0003207657.tif 000006
【図５】
0003207657.tif 000007
【図６】
0003207657.tif 000008